(57)【要約】【課題】  切断刃部分の浮き上がりによる切断操作の不具合を解消して、消費者が使いやすいラップフィルム収納カートンを提供する。【解決手段】  前壁と底壁と後壁とが順設され、両側部を側壁で固定してなる長形の箱体の後壁上端から蓋部天板に続いて蓋部前板が延設され、該蓋部天板の両側端に蓋部側板が垂下連設され、該蓋部側板がそれぞれ前記蓋部前板に接合され、かつ前記蓋部前板の縁片に切断刃を取り付けてなるラップフィルム収納カートンであって、前記前壁に前記切断刃の刃先が当接する位置よりやや下部に前記切断刃が当接する幅方向にわたる凸面加工部を設けたことを特徴とするラップフィルム収納カートン。【選択図】        図２
2005035619.tif 000002
【特許請求の範囲】
【請求項１】
前壁と底壁と後壁とが順設され、両側部を側壁で固定してなる長形の箱体の後壁上端から蓋部天板に続いて蓋部前板が延設され、該蓋部天板の両側端に蓋部側板が垂下連設され、該蓋部側板がそれぞれ前記蓋部前板に接合され、かつ前記蓋部前板の縁片に切断刃を取り付けてなるラップフィルム収納カートンであって、前記前壁に前記切断刃の刃先が当接する位置よりやや下部に前記切断刃が当接する幅方向にわたる凸面加工部を設けたことを特徴とするラップフィルム収納カートン。
【発明の詳細な説明】
【技術分野】
【０００１】
本発明は、家庭内あるいは業務用で食品包装や保存などに用いられるラップフィルムを収納するカートンに関するものである。
【背景技術】
【０００２】
食品等の保存あるいは調理のため包むのに用いられるウェブであるラップフィルムやアルミ箔は、通常、紙製丸筒にロール状に巻かれ、これを紙製カートン内に収納しており、カートンからウェブを所望する長さ引き出した後、カートンに取り付けられている鋸刃部材により切断して使用するものである。特にラップフィルムを収納するカートンにおいて、図１に示す従来形式のカートンは、横長の開口部を有するカートン上部に開閉自在なヒンジ付き被せ蓋部を連設するとともに、該ヒンジ付き被せ蓋部の先端にカッター部分を形成した形式のカートンで、ラップフィルムを所定長さ引き出した後、ヒンジ付き被せ蓋部を閉鎖するとともに被せ蓋部前板を押さえ、カートン本体を押し下げ或いはラップフィルムを引き上げて切断操作を行う形式である。この為、カッター部分は引き上げられる方向に力が働き、カッター部分がカートン本体前板から離れたり、被せ蓋の両側端部が浮き上り気味となって、スムーズな切断操作が行い難いという欠点があった（例えば特許文献１参照。）。
【特許文献１】実公昭６１−２２８２３号公報
【発明の開示】
【発明が解決しようとする課題】
【０００３】
従来技術において、切断刃部分の浮き上がりによる切断操作の不具合を解消して、消費者が使いやすいラップフィルム収納カートンを提供する。
【課題を解決するための手段】
【０００４】
上記課題を解決するため、請求項１の発明は、前壁と底壁と後壁とが順設され、両側部を側壁で固定してなる長形の箱体の後壁上端から蓋部天板に続いて蓋部前板が延設され、該蓋部天板の両側端に蓋部側板が垂下連設され、該蓋部側板がそれぞれ前記蓋部前板に接合され、かつ前記蓋部前板の縁片に切断刃を取り付けてなるラップフィルム収納カートンであって、前記前壁に前記切断刃の刃先が当接する位置よりやや下部に前記切断刃が当接する幅方向にわたる凸面加工部を設けたことを特徴とするラップフィルム収納カートンとすることで、切断操作におけるカッター部分のカートン前板への密着度が上がるとともに、蓋部前板両端部においても浮き上がりが軽減されるので、スムーズな切断操作が可能となる。
【発明の効果】
【０００５】
以上のように本発明に係るラップフィルム収納用カートンは、前壁に当接する切断刃の刃先のやや下部に設けた凸面加工部により、ラップフィルムと切断刃の密着度を上げるとともに、蓋部前板両端部においても浮き上がりが軽減されるので、ラッピングフィルムのスムーズな切断操作が可能となる。また、凸面加工部は前壁の略全幅に施されているので、前壁の彎曲等の変形を防止して、カートンの安定的使用を可能とするものである。
【発明を実施するための最良の形態】
【０００６】
上記本発明について、図面等を用いて以下に詳述する。
図１は本発明に係るラップフィルム収納カートンの一実施例の展開図。図２は同じく一実施例の組立と使用状態を示す斜視図。図３は同じく一実施例のフィルム切断時の断面図である。
【０００７】
図１は本発明に係るラップフィルム収納カートンの一実施例の切断刃を取り付けたブランクを裏面から見た展開図で、板紙等を打ち抜き加工されるラップフィルム収納カートン１は、折線を介して前壁２、底壁３、後壁４および蓋部天板５が順設され、前壁２の側縁側には折線を介して折り返し板８が、また蓋部天板５の側縁側には折線を介して蓋部前板６、さらに図に現れないが破断線を介して開封片７が連設されている。前記蓋部前板６の前記開封片７側の端縁には図示するように切断刃Ｋが取り付けられており、カートンの組み立て形成後、使用時に前記開封片７を破断線によって開封し取り去って、前記蓋部前板６の端縁から切断刃Ｋの刃先が出る位置に取り付けられる。尚、前壁２には、ラップフィルムＦの切断操作時に、切断刃Ｋの刃先が当接する位置よりやや下部に前記切断刃Ｋが当接する幅方向にわたる凸面加工部１４が設けられている。凸面加工はカートンの打ち抜き工程で同時に行われ、所定の幅を有する帯状の突出部をカートン表面に形成するもので、厚み方向の突出寸法は切断刃Ｋの厚みと略同等あるいは以下であることが望ましい。
【０００８】
前壁２、底壁３、後壁４、蓋部天板５および蓋部前板６のそれぞれの両端には、折線を介してそれぞれ補助重合板１０、１０´、側壁９、９´、重合板１１、１１´、蓋部側板１２、１２´、および蓋部貼合片１３、１３´が連設されている。側壁９、９´の長さは前壁２および後壁４の短手幅と略同寸で、本発明に係るラップフィルム収納用カートンでは特に限定されるものではないが、補助重合板１０、１０´および重合板１１、１１´の長さは側壁９、９´の長さより短く、また蓋部前板１２、１２´の長さは側壁９、９´の長さの三分の二程度とされ、さらに蓋部貼合片１３、１３´の長さは蓋部天板５の短手幅よりも短くされている。
【０００９】
図２は同じく一実施例の組立と使用状態を示す斜視図で、底壁３から立ち起こされる前壁２および後壁４と、前記前壁２および後壁４のそれぞれの両端に連設された補助重合板１０、１０´および重合板１１、１１´が折り曲げられ重合し、これに糊着される前記底壁３の両端に連設され立ち起こされる側壁９、９´とからなる長形の箱体が形成され、前記後壁４の上辺に連設される蓋部天板５ならびに蓋部前板６が折り曲げられ、さらに前記蓋部前板６の両端に連設された蓋部貼合片１３、１３´に前記蓋部天板５の両端に連設された蓋部側板１２、１２´がそれぞれ折り曲げられ糊着されて、前記長形の箱体の開口部を覆う被せ蓋が形成されている。尚、前記蓋部前板６の側縁側に破断線を介して連設される開封片７は、開封時の引き剥がし操作により取り去られるので図示を省略する。
【００１０】
図３は同じく一実施例のフィルム切断時の断面図で、所望する長さを引き出されたラップフィルムＦは、切断の前段階として被せ蓋が閉鎖されることにより、蓋部天板５および端縁に切断刃Ｋが取り付けられた蓋部前板６と、前壁２との間に挟み込まれた状態となり、この時凸面加工部１４は切断刃Ｋの刃先を受ける位置にあるため、ラップフィルムＦと切断刃Ｋの密着度を上げることができ、ラッピングフィルムＦの切断をスムーズなものとすることができる。また凸面加工部１４は前壁２の略全幅に施されているので、前壁２の彎曲等の変形を防止する補強効果も併せて有している。
【図面の簡単な説明】
【００１１】
【図１】本発明に係るラップフィルム収納カートンの一実施例の展開図。
【図２】同じく一実施例の組立と使用状態を示す斜視図。
【図３】同じく一実施例のフィルム切断時の断面図
【符号の説明】
【００１２】
１                  カートン本体
２                  前壁
３                  底壁
４                  後壁
５                  蓋部天板
６                  蓋部前板
７                  開封片
８                  折り返し板
９、９´            側壁
１０、１０´        補助重合板
１１、１１´        重合板
１２、１２´        蓋部側板
１３、１３´        蓋部貼合片
１４                凸面加工部
Ｆ                  ラップフィルム
Ｋ                  切断刃
【図１】
2005035619.tif 000003
【図２】
2005035619.tif 000004
【図３】
2005035619.tif 000005